(57)【要約】【課題】  穀稈姿勢が乱れるのを防止すること。【解決手段】  刈取部の挾扼フレームに、棒状受継ガイド前端を軸支させると共に、同棒状受継ガイドを受継搬送部材の上側搬送部に上方から当接させ、前記終端搬送部材の下面に棒状受ガイドの一端を固定させると共に、受継搬送部材前部を介してフィードチェン前部に棒状受ガイド他端側を延設させた。従って、棒状受ガイドによって、終端搬送部材から受継搬送部材を介してフィードチェンに搬送される穀稈株元の下方側折曲りを規制することができると共に、穀稈をスムーズに搬送移動させることができる。【選択図】    図１５
2006051040.tif 000002
【特許請求の範囲】
【請求項１】
刈取部（８）の終端搬送部材（３５）からフィードチェン（５）に穀稈を受渡す受継搬送部材（３６）を設けたコンバインにおいて、
刈取部（８）の挾扼フレーム（９８）に、棒状受継ガイド（９９）前端を軸支させると共に、同棒状受継ガイド（９９）を受継搬送部材（３６）の上側搬送部に上方から当接させ、
前記終端搬送部材（３５）の下面に棒状受ガイド（１０５）の一端を固定させると共に、受継搬送部材（３６）前部を介してフィードチェン（５）前部に棒状受ガイド（１０５）他端側を延設させたことを特徴とするコンバイン。
【発明の詳細な説明】
【技術分野】
【０００１】
本発明は、穀稈を連続的に刈取って脱穀するコンバインに関する。
【背景技術】
【０００２】
従来、コンバインの一形態として、刈取前処理部の後方搬送装置からフィードチェンに穀稈を受渡す中継搬送装置を設けると共に、中継搬送装置の挟持レールを刈取部側から延設させたものがある（例えば、特許文献１参照）。
【特許文献１】実公昭６０−１３３３４号公報
【発明の開示】
【発明が解決しようとする課題】
【０００３】
しかしながら、５条刈りまたは６条刈り用などの大型刈取部ではフィードチェンに送給する穀稈量が多くなり、刈取部の昇降に必要な空間を刈取部の終端搬送部材とフィードチェンの間に確保することにより、フィードチェン始端部で穀稈受継姿勢が乱れて、穀稈が脱落し易いという不具合がある。
【課題を解決するための手段】
【０００４】
そこで、本発明では、刈取部の終端搬送部材からフィードチェンに穀稈を受渡す受継搬送部材を設けたコンバインにおいて、刈取部の挾扼フレームに、棒状受継ガイド前端を軸支させると共に、同棒状受継ガイドを受継搬送部材の上側搬送部に上方から当接させ、前記終端搬送部材の下面に棒状受ガイドの一端を固定させると共に、受継搬送部材前部を介してフィードチェン前部に棒状受ガイド他端側を延設させたことを特徴とするコンバインを提供するものである。
【発明の効果】
【０００５】
本発明では、刈取部の挾扼フレームに、棒状受継ガイド前端を軸支させると共に、同棒状受継ガイドを受継搬送部材の上側搬送部に上方から当接させ、前記終端搬送部材の下面に棒状受ガイドの一端を固定させると共に、受継搬送部材前部を介してフィードチェン前部に棒状受ガイド他端側を延設させている。
【０００６】
従って、棒状受ガイドによって、終端搬送部材から受継搬送部材を介してフィードチェンに搬送される穀稈株元の下方側折曲りを規制することができると共に、穀稈をスムーズに搬送移動させることができて、受継搬送部材とフィードチェンによって同一穀稈を引き合って稈姿勢が乱れるのを防止することができる。
【発明を実施するための最良の形態】
【０００７】
以下に、本発明に係る実施の形態を図面に基づいて詳述する。
【０００８】
図１はコンバインの全体側面図、図２は同平面図であり、図中（１）は走行クローラ（２）を装設するトラックフレーム、（３）は前記トラックフレーム（１）に架設する機台、（４）はフィードチェン（５）を左側に張架し扱胴（６）及び処理胴（７）を内蔵している脱穀機である脱穀部、（８）は刈刃（９）及び穀稈搬送機構（１０）などを備える刈取部、（１１）は刈取フレーム（１２）を介して刈取部（８）を昇降させる油圧刈取シリンダ、（１３）は排藁チェン（１４）終端を臨ませる排藁カッタ、（１５）は脱穀部（４）からの穀粒を揚穀筒（１６）を介して搬入する穀物タンク、（１７）は前記タンク（１５）の穀粒を機外に搬出する排出オーガ、（１８）は運転操作部（１９）及び運転席（２０）を備える運転キャビン、（２１）は運転キャビン（１８）下方に設けるエンジンであり、連続的に穀稈を刈取って脱穀するように構成している。
【０００９】
さらに、図３及び図４に示す如く、分草板（２２）…を介し取入れられる未刈り穀稈を起立させる引起タイン（２３）…を有する６条分の引起ケース（２４）…と、引起された穀稈の株元側を掻込む６条分のスターホイル（２５）…及び掻込ベルト（２６）…と、掻込んだ穀稈株元を切断する刈刃（９）と、右側２条分の刈取穀稈を左斜め後方に搬送する右下部搬送チェン（２７）及び右上部搬送タイン（２８）と、中央２条分の刈取穀稈を後方の右下部搬送チェン（２７）及び右上部搬送タイン（２８）の送り中間位置近傍に合流させる中央下部搬送チェン（２９）及び中央上部搬送タイン（３０）と、左側２条分の刈取穀稈を右下部搬送チェン（２７）及び右上部搬送体（２８）の送り終端位置近傍に合流させる左下部搬送チェン（３１）及び左上部搬送タイン（３２）と、前記右下部搬送チェン（２７）の送り終端に合流する６条分の刈取穀稈の株元側を受継ぎ搬送する縦搬送チェン（３３）と、前記右上部搬送タイン（２８）の送り終端に合流する６条分の刈取穀稈の穂先側を脱穀部（４）に搬送する後上部搬送タイン（３４）と、前記縦搬送チェン（３３）の送り終端部に設けてフィードチェン（５）に適正姿勢で刈取穀稈を受継ぎ搬送する補助搬送前チェン（３５）及び補助搬送後チェン（３６）を、６条刈り用の前記刈取部（８）に備え、６条分の刈取穀稈を縦搬送チェン（３３）に受継ぎ合流させてフィードチェン（５）に供給し脱穀処理するように構成している。
【００１０】
また、前記刈取フレーム（１２）に引起駆動パイプ（３７）を立設させ、該パイプ（３７）上端部に引起駆動ケース（３８）を取付け、該ケース（３８）を介して２条１組として各引起ケース（２４）…に駆動力を伝えると共に、引起駆動ケース（３８）に引起搬送タイン（３９）を取付け、２条分１組の６条引起し穀稈穂先側を６条分３本の前記タイン（３９）によって後方の各タイン（２８）（３０）（３２）に受継がせるように構成している。
【００１１】
さらに、図５に示す如く、前記エンジン（２１）駆動力をカウンタケース（４０）の入力軸（４１）に伝え、カウンタケース（４０）を介して脱穀部（４）の扱胴（６）など各部に脱穀駆動力を伝えると共に、左右走行クローラ（２）（２）を駆動するミッションケース（４２）にカウンタケース（４０）から走行駆動力を伝える。また、前記カウンタケース（４０）からの定速駆動力とミッションケース（４２）からの車速同調駆動力を刈取１軸（４３）に伝え、該１軸（４３）に刈取２軸（４４）を介して刈取３軸（４５）を連結させ、該３軸（４５）に引起入力軸（４６）を介して引起軸（４７）を連結させる。
【００１２】
そして、前記刈取１軸（４３）を介して前記補助搬送後チェン（３６）を駆動すると共に、右２条分のスターホイル（２５）（２５）に掻込ベルト（２６）（２６）、右の搬送チェン（２７）及び搬送タイン（２８）、縦搬送チェン（３３）、後上部搬送タイン（３４）、補助搬送前チェン（３５）を、前記刈取２軸（４４）を介して駆動する。
【００１３】
また、刈取３軸（４５）に左右刈刃入力軸（４８）（４８）を連結させ、左右に分割形成した左右刈刃（９）（９）を夫々駆動すると共に、中と左の４条分のスターホイル（２５）…及び掻込ベルト（２６）…、中と左の搬送チェン（２９）（３１）及び搬送タイン（３０）（３２）を、前記引起入力軸（４６）を介して駆動する。また、６条分の各引起タイン（２３）…と、３本の引起搬送タイン（３９）…を、前記引起軸（４７）を介して駆動するもので、前記カウンタケース（４０）の定速駆動力によって最低速度を維持し乍ら、ミッションケース（４２）の車速同調駆動力によって走行速度と同調する速度で刈取部（８）各部を駆動するように構成している。
【００１４】
さらに、図６に示す如く、前記引起駆動パイプ（３７）に引起変速ケース（４９）を取付け、引起入力軸（４６）上で高速ギヤ（５０）と低速ギヤ（５１）の間に標準ギヤ（５２）を配置させ、高速変速ギヤ（５３）及び低速変速ギヤ（５４）を各ギヤ（５０）（５１）に常時噛合させ、標準ギヤ（５２）に噛合させる切換ギヤ（５５）にドグクラッチ爪（５６）（５７）を設け、各爪（５６）（５７）を係合させるドグクラッチ爪（５８）（５９）を各ギヤ（５３）（５４）に設けると共に、引起軸（４７）に連結させる引起変速軸（６０）上に切換ギヤ（５５）を摺動自在に係合軸支させ、切換ギヤ（５５）を摺動させるシフトフォーク（６１）をシフト軸（６２）に設け、シフト軸（６２）に引起変速レバー（６３）を連結させるもので、高速及び標準及び低速の順に変速させるから、高速と標準の間を低速とした従来構造に比べて変速操作性を向上させると共に、高速ギヤ（５０）及び低速ギヤ（５１）の常時噛合によって半噛み等による強度不足をなくし、ギヤ（５０）（５１）破損を防止し、また爪（５６）（５７）（５８）（５９）の係合によって動力伝達させることによってケース（４９）をコンパクトに形成できるように構成している。
【００１５】
さらに、図７及び図８に示す如く、前記引起ケース（２４）内部に駆動スプロケット（６４）などを介してタインチェン（６５）を張設させ、該チェン（６５）に複数の引起タイン（２３）…を等間隔に取付け、合成樹脂製の上中下の各タインガイド（６６）（６７）（６８）を引起ケース（２４）に固定させ、各タインガイド（６６）（６７）（６８）によって引起タイン（２３）を起立支持させると共に、穀稈引起力が最も大きい中タインガイド（６７）内側のケース（２４）に鉄板製補強板（６９）を固定させ、中タインガイド（６７）のタイン（２３）支持強度を補強板（６９）によって向上させ、中タインガイド（６７）の変形を防止し、また補強板（６９）によるケース（２４）強度向上によってケース（２４）の口開き変形を防止し、また中タインガイド（６７）の成形樹脂肉厚を薄くして加工精度向上及び製造コスト低減などを行えるように構成している。
【００１６】
さらに、図９に示す如く、右下部搬送チェン（２７）中間に中下部搬送チェン（２９）終端を連結させ、右下部搬送チェン（２７）終端に左下部搬送チェン（３１）終端を連結させ、右２条の穀稈に中２条の穀稈をチェン（２７）中間で合流させた後、右４条の穀稈に左２条の穀稈をチェン（２７）終端で合流させ、６条分の穀稈を脱穀部（４）に送給すると共に、チェン（２７）中間に一端側を弾圧させる２条合流バネ（７０）他端を本機側にボルト（７１）止め固定させ、またチェン（２９）（３１）終端に一端側を弾圧させる２条合流バネ（７２）（７３）他端を本機側にボルト（７４）（７５）止め固定させ、またチェン（２７）終端に一端側を弾圧させる４条合流バネ（７６）他端を本機側にボルト（７７）止め固定させる。
【００１７】
また、２条合流バネ（７０）（７２）（７３）中間を２回巻きにして巻回形成し、４条合流バネ（７６）中間を１回巻きにして巻回形成し、同一金属線材料によって各バネ（７０）（７２）（７３）（７６）を形成し、２条合流バネ（７０）（７２）（７３）力よりも４条合流バネ（７６）力を大きく形成すると共に、チェン（２９）終端のバネ製巻付防止ガイド（７８）先端を各バネ（７０）（７６）間のチェン（２７）に弾圧させ、チェン（３１）終端のバネ製巻付防止ガイド（７９）先端をバネ（７６）後方のチェン（２７）軌跡内に延設させる。
【００１８】
上記から明らかなように、刈取り穀稈を搬送する複数の搬送チェン（２７）（２９）（３１）をハの字形に合流連結させるコンバインにおいて、前記チェン（２７）送り終端側の合流バネ（７６）力を最も大きくし、前記チェン（２７）送り始端側の合流バネ（７０）力を小さく形成し、搬送する穀稈条数が少ない場所で合流バネ（７０）力を下げ、穀稈条数が多い場所で合流バネ（７６）力を上げ、搬送チェン（２７）（２９）（３１）及び合流バネ（７０）（７６）の穀稈挾持力を適正維持し、合流部での穀稈の停滞を防いでスムーズに後方に受継ぎ搬送させると共に、一端を本機に固定させかつ他端を搬送チェン（２７）（２９）（３１）に弾圧させる合流バネ（７０）（７２）（７３）（７６）中間を巻回形成し、搬送チェン（２７）（２９）（３１）の２条挾持部の合流バネ（７０）（７２）（７３）の巻数を、４条挾持部の合流バネ（７６）の巻数よりも多く形成し、合流バネ（７０）（７２）（７３）（７６）の巻数で搬送チェン（２７）（２９）（３１）との挾持力を設定し、合流バネ（７０）（７２）（７３）（７６）を形成する金属線材料を同一にして異なるバネ力に形成でき、合流バネ（７０）（７２）（７３）（７６）力の設定並びに加工の簡略化などを行えるように構成している。
【００１９】
さらに、図１０〜図１２に示す如く、前記刈取２軸（４４）を内挿させる刈取フレーム（１２）に筒体（８０）を立設固定させ、刈取２軸（４４）に連結させる上部駆動軸（８１）を筒体（８０）に内挿させ、後上部搬送タイン（３４）ケースに前記筒体（８０）及び駆動軸（８１）中間部を貫通させ、タイン（３４）上方に筒体（８０）及び駆動軸（８１）を延設させ、右上部搬送タイン（２８）のケース（８２）を筒体（８０）上端にブラケット（８３）（８４）を介して着脱自在にボルト（８５）（８５）止め固定させると共に、前記ケース（８２）のボス（８２ａ）に上駆動軸（８６）を軸支させ、該軸（８６）にスプロケット（８７）を介して右上部搬送タイン（２８）のタインチェン（８８）を張設させ、前記各軸（８１）（８６）を上下に分離自在にスプライン（８９）嵌合連結させ、また筒体（８０）上端をボス（８２ａ）下端に着脱自在に嵌入させ、後上部搬送タイン（３４）送り始端部上側に右上部搬送タイン（２８）送り終端部を重合せるように配設させるもので、前記各ブラケット（８３）（８４）の分解によってタイン（２８）をケース（８２）に組込んだ状態で取外せるように構成している。
【００２０】
上記から明らかなように、前後に分割形成する前後搬送部材である右上部搬送タイン（２８）と後上部搬送タイン（３４）によって刈取り穀稈を脱穀部（４）に送給するコンバインにおいて、右上部搬送タイン（２８）送り終端を後上部搬送タイン（３４）送り始端上側に重合せて設け、右上部搬送タイン（２８）の駆動軸（８１）中間を後上部搬送タイン（３４）に貫通させ、前記各搬送タイン（２８）（３４）の受継部を上下に重合せかつ右上部搬送タイン（２８）の送り終端に駆動軸（８１）を設ける構造で前記受継部長さを必要以上に長く確保でき、各搬送タイン（２８）（３４）の取扱い作業性向上並びに穀稈受継ぎ機能の向上などを図ると共に、右上部搬送タイン（２８）と後上部搬送タイン（３４）の間で右上部搬送タイン（２８）の駆動軸（８１）（８６）を上下に分割形成し、前記駆動軸（８１）（８６）を上下に分離させることにより、右上部搬送タイン（２８）を分解することなく取外すことができ、下方側の後上部搬送タイン（３４）の保守または修理などの作業性向上を図れるように構成している。
【００２１】
さらに、図１３に示す如く、後上部搬送タイン（３４）のケース（９０）に合成樹脂製タインガイド（９１）（９１）を鉄板製補強板（９２）（９２）によって固定させ、前記タイン（３４）を各タインガイド（９１）（９１）によって両持ち支持し、タイン（３４）が倒れたり脱落するのを防ぐと共に、タイン（３４）にピン孔（９３）を貫通させ、ピン孔（９３）にピン（９４）を打込んでタインチェン（９５）に連結させ、タイン（３４）を取付けるピン（９４）が抜け落ちるのを防ぐように構成している。
【００２２】
さらに、図１４及び図１５示す如く、前記刈取１軸（４３）を内挿させる昇降支点パイプ（９６）左端にギヤケース（９７）を介して補助搬送後チェン（３６）を取付け、補助搬送前チェン（３５）とフィードチェン（５）の間で前後方向に後チェン（３６）を延設させ、フィードチェン（５）に略平行に後チェン（３６）を張設させ、前チェン（３５）搬送中間に後チェン（３６）始端を配置させ、後チェン（３６）搬送中間にフィードチェン（５）始端を配置させると共に、前記引起駆動パイプ（３７）に挾扼フレーム（９８）前端部を固定させ、後チェン（３６）上側搬送部に上方から当接させる棒状受継ガイド（９９）前端を前記フレーム（９８）後端の軸受（１００）に回転自在に軸支させ、前記ガイド（９９）後端側を上下に回動自在に取付け、前記フレーム（９８）にボルト（１０１）を介して一端を連結させる挾扼バネ（１０２）他端を前記ガイド（９９）に連結させ、挾扼バネ（１０２）力を調節自在に形成し、また前記ガイド（９９）後端側を後チェン（３６）に弾圧させて穀稈を挾持搬送する一方、前記ガイド（９９）を上方に持上げることによって挾扼バネ（１０２）が支点越え作用し、ガイド（９９）を上方に展開支持して後チェン（３６）の藁屑除去などを行うように構成している。
【００２３】
また、板バネ製株ガイド（１０３）及び棒状ガイド（１０４）の各前端を前記フレーム（９８）に取付け、各ガイド（１０３）（１０４）後端側をフィードチェン（５）上側の始端搬送面に上方から接離自在に弾圧させ、フィードチェン（５）と各ガイド（１０３）（１０４）間に穀稈を挾持して搬送させるもので、前記受継ガイド（９９）と株ガイド（１０３）の各後端を略同一長さ位置とし、各ガイド（９９）（１０３）後端よりも後方に前記ガイド（１０４）後端を延設させると共に、棒状受ガイド（１０５）の一端を補助搬送前チェン（３５）の下面に固定させ、後チェン（３６）前部を介してフィードチェン（５）前部に受ガイド（１０５）他端側を延設させ、前チェン（３５）及び各ガイド（９９）（１０３）（１０４）の下方側でこれらに対して斜交させて受ガイド（１０５）を取付け、前チェン（３５）から後チェン（３６）を介してフィードチェン（５）に搬送される穀稈株元の下方側折曲りを受ガイド（１０５）によって規制するように構成している。
【００２４】
上記から明らかなように、刈取部（８）の終端搬送部材である補助搬送前チェン（３５）からフィードチェン（５）に穀稈を受渡す受継搬送部材である補助搬送後チェン（３６）を設け、刈取部（８）からフィードチェン（５）に送給させる穀稈の受継性能を向上させ、穀稈量が多くなる大型構造でもフィードチェン（５）始端部で穀稈が脱落したり稈姿勢が乱れるのを防ぐと共に、前記の前チェン（３５）下面に稈ガイド部材である受ガイド（１０５）の一端側を固定させ、後チェン（３６）の始端側を介してフィードチェン（５）始端側に前記受ガイド（１０５）の他端側を延設させ、前チェン（３５）からフィードチェン（５）に至る搬送空間を徐々に拡大させて穀稈をスムーズに搬送移動させ、後チェン（３６）とフィードチェン（５）によって同一穀稈を引き合って稈姿勢が乱れるのを防止するように構成している。
【００２５】
また、後チェン（３６）を刈取部（８）の昇降支点である昇降支点パイプ（９６）に設け、後チェン（３６）とフィードチェン（５）の相対位置を常に略一定に保って穀稈の搬送を安定して行わせると共に、後チェン（３６）の挾扼ガイド部材である受継ガイド（９９）を刈取部（８）側から延設させ、刈取部（８）が上昇しても前チェン（３５）と後チェン（３６）間の穀稈搬送をスムーズに行わせると共に、後チェン（３６）に受継ガイド（９９）を挾扼バネ（１０２）を介して接離自在に取付け、挾扼バネ（１０２）力の変更により受継ガイド（９９）の挾扼力を変更させると共に、挾扼バネ（１０２）の支点越え位置に受継ガイド（９９）を後退させて掃除等の簡略化を行えるように構成している。
【００２６】
さらに、図１６及び図１７に示す如く、前記刈取２軸（４４）を内挿させる刈取フレーム（１２）に減速ギヤケース（１０６）を固定させ、電動扱深モータ（１０７）をケース（１０６）に取付け、該ケース（１０６）の出力軸（１０８）に扱深アーム（１０９）を固定させ、該アーム（１０９）にロッド（１１０）を介して縦搬送チェン（３３）を連結させ、前記モータ（１０７）によってアーム（１０９）を揺動させ、前記チェン（３３）送り始端側入力部を支点にしてチェン（３３）送り終端側を補助搬送前チェン（３５）に対して接離させ、フィードチェン（５）が挾持搬送する穀稈の扱深さを調節するように構成している。また、前記アーム（１０９）のボス（１１１）を出力軸（１０８）のスリ割り面（１１２）にボルト（１１３）止め固定させると共に、前記チェン（３３）の扱深さ調節位置を検出するポテンショメータ形扱深位置センサ（１１４）を前記ケース（１０６）にブラケット（１１５）を介して固定させ、前記ボス（１１１）に固定させるセンサアーム（１１６）を前記センサ（１１４）の回転アーム（１１７）に当接させ、前記扱深アーム（１０９）と連動して回転アーム（１１７）を揺動させるもので、前記ボルト（１１３）の固定によってセンサ（１１４）の誤検出を防ぐと共に、センサ（１１４）の出力を非直線形に形成し、短稈側及び長稈側の前記チェン（３３）調節移動量を標準稈長部位に比べて大きくし、長稈側扱深調節による穀稈脱落防止などを行えるように構成している。
【００２７】
さらに、図１８及び図１９に示す如く、前記刈取部（８）左側面を閉塞するサイドカバー（１１８）を設け、サイドカバー（１１８）前端縁に支点パイプ（１１９）を固定させると共に、前記刈取フレーム（１２）に固定させるカバーフレーム（１２０）にブラケット（１２２）を介して支点ピン（１２１）下端側を固定させ、支点ピン（１２１）上端側を支点パイプ（１１９）に下方から挿入させ、支点パイプ（１１９）と支点ピン（１２１）を緩く嵌合させ、カバー（１１８）前端縁と略同一方向に傾斜させた支点ピン（１２１）回りに回動自在にカバー（１１８）を取付ける。また、前記カバーフレーム（１２０）にストッパピン（１２３）下端を立設固定させ、ストッパピン（１２３）上端側を乗り越えて移動する係合ピン（１２４）を支点パイプ（１１９）に固定させると共に、刈取フレーム（１２）に固定させる筒体（１２５）にフックアーム（１２６）一端側を回転自在に取付け、フックアーム（１２６）他端側を係脱自在に係止させるフック板（１２７）をカバー（１１８）に固定させ、支点ピン（１２１）回りにカバー（１１８）を機外側方向に回転させて刈取部（８）左側を開放したとき、ストッパピン（１２３）上端を乗り越えて係合ピン（１２４）が移動し、係合ピン（１２４）がストッパピン（１２４）に当接し、かつフック板（１２７）にフックアーム（１２６）が係止し、カバー（１１８）を開放位置に支持するもので、支点パイプ（１１９）と支点ピン（１２１）の緩やかな嵌合によりカバー（１１８）開閉時の上下移動を小さな操作力で行えると共に、カバー（１１８）開閉構造の簡略化並びに重量低減及び製造コスト低減などを図れるように構成している。
【図面の簡単な説明】
【００２８】
【図１】コンバインの全体側面図。
【図２】コンバインの全体平面図。
【図３】刈取部の側面説明図。
【図４】刈取部の平面説明図。
【図５】刈取部駆動系統図。
【図６】引起し変速部の説明図。
【図７】引起ケース正面説明図。
【図８】同断面説明図。
【図９】下部搬送チェン部の平面図。
【図１０】上部搬送タイン部の駆動説明図。
【図１１】同拡大図。
【図１２】上部搬送タインの平面図。
【図１３】同合流部の説明図。
【図１４】補助搬送前後チェン部の側面図。
【図１５】同平面図。
【図１６】扱深モータ取付部の側面図。
【図１７】同正面図。
【図１８】サイドカバー取付部の側面図。
【図１９】同平面図。
【符号の説明】
【００２９】
（５）  フィードチェン
（８）  刈取部
（３５）  補助搬送前チェン（終端搬送部材）
（３６）  補助搬送後チェン（受継搬送部材）
（９６）  昇降支点軸（昇降支点）
（９９）  受継ガイド（挾扼ガイド部材）
（１０２）  挾扼バネ
（１０５）  受ガイド（稈ガイド部材）
【図１】
2006051040.tif 000003
【図２】
2006051040.tif 000004
【図３】
2006051040.tif 000005
【図４】
2006051040.tif 000006
【図５】
2006051040.tif 000007
【図６】
2006051040.tif 000008
【図７】
2006051040.tif 000009
【図８】
2006051040.tif 000010
【図９】
2006051040.tif 000011
【図１０】
2006051040.tif 000012
【図１１】
2006051040.tif 000013
【図１２】
2006051040.tif 000014
【図１３】
2006051040.tif 000015
【図１４】
2006051040.tif 000016
【図１５】
2006051040.tif 000017
【図１６】
2006051040.tif 000018
【図１７】
2006051040.tif 000019
【図１８】
2006051040.tif 000020
【図１９】
2006051040.tif 000021